(57)【要約】【課題】本発明は、安価で消費電流が少なく、液晶表示装置である液晶表示部の表示内容によらず液晶表示部に安定した電源電圧を供給することができる調理器の液晶駆動装置を提供すること。【解決手段】調理器の液晶駆動装置は、液晶電源部５が、入力端にベースが接続され、かつエミッタ抵抗５ｃにエミッタが接続された第１トランジスタ５ｂと、第１トランジスタ５ｂのエミッタにベースが接続され、かつ第１トランジスタ５ｂのコレクタにエミッタが接続された第２トランジスタ５ａと、を有し、液晶駆動部３に第２トランジスタ５ａのエミッタ電流が流れ、かつ第２トランジスタ５ａのコレクタ電流が分圧部４を経路としない構成である。【選択図】図１
2015004951.tif 000002
【特許請求の範囲】
【請求項１】
情報を表示するための液晶表示部と、直流電源部と、前記液晶表示部を駆動するために複数の電圧を入力する液晶駆動部と、複数の抵抗が直列接続され前記直流電源部の出力電圧を分圧して出力する分圧部と、前記分圧部の出力電圧が入力され前記分圧部の出力電圧と同等の電圧を前記液晶駆動部に出力する液晶電源部と、を備え、
前記液晶電源部は、前記液晶電源部の入力端にベースが接続され、かつエミッタ抵抗にエミッタが接続された第１トランジスタと、前記第１トランジスタのエミッタにベースが接続され、かつ前記第１トランジスタのコレクタにエミッタが接続された第２トランジスタと、を有し、
前記液晶駆動部に前記第２トランジスタのエミッタが接続され、かつ前記第２トランジスタのコレクタ電流が前記分圧部を経路とせずに流れるように構成された調理器の液晶駆動装置。
【請求項２】
前記液晶電源部は、前記第１トランジスタがＰＮＰトランジスタであり、前記第２トランジスタがＮＰＮトランジスタであるとともに、前記エミッタ抵抗を前記ＮＰＮトランジスタのベース−コレクタ間に接続し、前記ＮＰＮトランジスタのコレクタを前記直流電源部の高電位側出力端に接続した請求項１記載の調理器の液晶駆動装置。
【請求項３】
前記液晶電源部は、前記第１トランジスタがＰＮＰトランジスタであり、前記第２トランジスタがＮＰＮトランジスタであるとともに、前記エミッタ抵抗を前記ＮＰＮトランジスタのベースと前記ＮＰＮトランジスタのベースより高電位の前記分圧部の出力端との間に接続した請求項１記載の調理器の液晶駆動装置。
【請求項４】
前記液晶電源部は、前記第１トランジスタがＮＰＮトランジスタであり、前記第２トランジスタがＰＮＰトランジスタであるとともに、前記エミッタ抵抗を前記ＰＮＰトランジスタのベース−コレクタ間に接続し、前記ＰＮＰトランジスタのコレクタを前記直流電源部の低電位側出力端に接続した請求項１記載の調理器の液晶駆動装置。
【請求項５】
前記ＮＰＮトランジスタと前記ＰＮＰトランジスタが同一パッケージ内に構成された請求項２から４のいずれか１項に記載の調理器の液晶駆動装置。
【発明の詳細な説明】
【技術分野】
【０００１】
本発明は液晶表示部を備えたＩＨ炊飯器などの調理器、特に調理器における液晶駆動装置に関するものである。
【背景技術】
【０００２】
一般家庭などで使用されるＩＨジャー炊飯器やＩＨ調理器などの調理器においては、使用者の利便性を高めるために機器の動作状態や時刻を表示させる消費電力の少ない液晶表示部を備えたものが普及している（例えば、特許文献１および特許文献２参照）。
【０００３】
図５は、特許文献１に記載された従来の液晶表示装置の電源駆動回路を示すブロック図である。図５に示すように、液晶表示装置４０２の電源駆動回路は、マイクロコンピュータ４０１と、バックアップ電源手段４０３と、電源切換え手段４０７と、電源生成手段４０８と、スイッチング共用手段４０９と、分圧手段４１０と、から構成されている。
【０００４】
バックアップ電源手段４０３は、液晶表示装置４０２とマイクロコンピュータ４０１に対するバックアップ用の電池４０４と、その電池４０４への充電を防止するための逆流防止手段となるダイオード４０５とからなる。電源回路４０６は、マイクロコンピュータ４０１に対して電圧（ＶＤＤ、約５Ｖ）を供給するよう構成されている。
【０００５】
電源切換え手段４０７は、電源回路４０６の電圧が所定の電圧（例えば、３Ｖ）未満の場合には、停電したと判断して、バックアップ電源手段４０３への切換え動作を行う。一方、電源回路４０６の通電中においては、電源切換え手段４０７が電源回路４０６の電圧（ＶＤＤ）をバックアップ電源手段の電圧と同等の電圧（約３Ｖ）まで降下させてマイクロコンピュータ４０１へ供給し、液晶表示装置４０２が所望の電圧で駆動されるよう構成されている。
【０００６】
電源生成手段４０８は、電源回路４０６から他の周辺機器へ電圧を供給するための電圧（ＶＣＣ）を生成するよう構成されている。スイッチング共用手段４０９は、電源切換え手段４０７と電源生成手段４０８のスイッチング回路を共用する構成である。分圧手段４１０は、電源回路４０６の電圧を複数の抵抗により所望の電圧に分圧するよう構成されており、マイクロコンピュータ４０１に内蔵されたドライバ（図示せず）へ液晶駆動用の基準電圧（約３Ｖ）を供給し、液晶表示装置４０２を駆動する。
【０００７】
バックアップ電源手段４０３において、電池４０４のマイナス側端子はアースに接続され、プラス側端子はダイオード４０５のアノード端子に接続され、ダイオード４０５のカソード端子は電源回路４０６の出力端子に接続されている。
【０００８】
上記のように構成された従来の液晶表示装置４０２の電源駆動回路において、通電時は電源回路４０６から電圧（ＶＤＤ、５Ｖ）が供給されるため、分圧手段４１０から所望の電圧がマイクロコンピュータ４０１に供給される。一方、停電になった場合には、電源回路４０６からの電力がゼロになるため、マイクロコンピュータ４０１には電池４０４から所望の電圧が供給される。結果として、通電時、停電時ともに所望の電圧がマイクロコンピュータ４０１に供給されて、液晶表示装置４０２が駆動される構成である。
【先行技術文献】
【特許文献】
【０００９】
【特許文献１】特開２００１−２８２２０７号公報
【特許文献２】特開２００１−３５０４３７号公報
【発明の概要】
【発明が解決しようとする課題】
【００１０】
しかしながら、前記従来の構成では、液晶表示装置４０２を駆動するための基準電圧を複数の抵抗からなる分圧手段４１０で構成しているため、表示内容に応じた液晶表示装置の消費電流の変動に十分対応することができないという問題点があった。近年、使用者の利便性をより高めるために、液晶表示装置の大型化および表示する情報量の増加が進み、表示内容に応じて液晶表示装置の消費電流の変動が大きくなってきている。このように液晶表示装置の消費電流の変動が大きい場合には、液晶表示装置への供給電源電圧が低下してしまい、その結果、表示が見づらくなる場合があるという課題が生じている。
【００１１】
このような課題に対応するために、表示内容によらずに、常に液晶表示装置に十分な電流を供給して見やすい表示とするために、分圧手段の抵抗値を下げる対策を施すことがある。
【００１２】
しかしながら、近年、電気製品においては、より一層の省電力化が求められるといった社会的要求がある。上記のように分圧手段４１０の抵抗値を下げる対策では、液晶表示装置への供給電流は増えるが、液晶表示装置の表示内容に関らず常時機器の消費電流が増えることになり、機器の省電力化が図れないという新たな課題を招いてしまう。さらに、このような対策は、内蔵している電池により表示を補助する機器においては、液晶表示装置の電源駆動回路における消費電流が常時増えることになり、電池寿命の低下および電池の大型化等の影響があり、好ましい対策とはいえない。
【００１３】
本発明は、前記従来の課題を解決するものであり、安価で消費電流が少なく、液晶表示装置である液晶表示部の表示内容によらず液晶表示部に安定した電源電圧を供給することができる調理器の液晶駆動装置を提供することを目的とする。
【課題を解決するための手段】
【００１４】
前記従来の課題を解決するために、本発明の調理器の液晶駆動装置は、情報を表示するための液晶表示装置である液晶表示部と、直流電源部と、前記液晶表示部を駆動するために複数の電圧を入力する液晶駆動部と、複数の抵抗が直列接続され前記直流電源部の出力電圧を分圧して出力する分圧部と、前記分圧部の出力電圧が入力され前記分圧部の出力電圧と同等の電圧を前記液晶駆動部に出力する液晶電源部と、を備え、
前記液晶電源部は、前記液晶電源部の入力端にベースが接続され、かつエミッタ抵抗にエミッタが接続された第１トランジスタと、前記第１トランジスタのエミッタにベースが接続され、かつ前記第１トランジスタのコレクタにエミッタが接続された第２トランジスタと、を有し、
前記液晶駆動部に前記第２トランジスタのエミッタが接続され、かつ前記第２トランジスタのコレクタ電流が前記分圧部を経路とせずに流れるように構成されている。
【００１５】
上記のように構成された本発明の調理器の液晶駆動装置は、液晶表示装置である液晶表示部の表示内容によって消費電流が変化しても、液晶駆動部は安定した電圧供給を受けることが可能となるので、表示内容による液晶表示部における表示状態（見栄え）の変化を抑制することができる。
【発明の効果】
【００１６】
本発明の調理器の液晶駆動装置は、液晶表示装置である液晶表示部の消費電流の変動が分圧部の出力電圧に対して与える変動を抑制することができるため、液晶表示部に対して安定した電圧供給を行うことができ、電力消費を抑制しつつ液晶表示部における表示内容に影響を受けることがない、安定した表示を行うことができる。
【図面の簡単な説明】
【００１７】
【図１】本発明に係る実施の形態１の調理器の液晶駆動装置の構成を示すブロック図
【図２】本発明に係る実施の形態２の調理器の液晶駆動装置を示すブロック図
【図３】本発明に係る実施の形態３の調理器の液晶駆動装置を示すブロック図
【図４】本発明に係る実施の形態４の調理器の液晶駆動装置を示すブロック図
【図５】従来の調理器の液晶表示部とその周辺の回路を示すブロック図
【発明を実施するための形態】
【００１８】
本発明に係る第１の観点の調理器の液晶駆動装置は、情報を表示するための液晶表示部と、直流電源部と、前記液晶表示部を駆動するために複数の電圧を入力する液晶駆動部と、複数の抵抗が直列接続され前記直流電源部の出力電圧を分圧して出力する分圧部と、前記分圧部の出力電圧が入力され前記分圧部の出力電圧と同等の電圧を前記液晶駆動部に出力する液晶電源部と、を備え、
前記液晶電源部は、前記液晶電源部の入力端にベースが接続され、かつエミッタ抵抗にエミッタが接続された第１トランジスタと、前記第１トランジスタのエミッタにベースが接続され、かつ前記第１トランジスタのコレクタにエミッタが接続された第２トランジスタと、を有し、
前記液晶駆動部に前記第２トランジスタのエミッタが接続され、かつ前記第２トランジスタのコレクタ電流が前記分圧部を経路とせずに流れるように構成されている。
【００１９】
上記のように構成された本発明に係る第１の観点の調理器の液晶駆動装置においては、液晶駆動部に供給される電圧が、液晶電源部の入力端の電圧に第１トランジスタのベース−エミッタ間電圧と第２トランジスタのベース−エミッタ間電圧の差を加算したものとなる。したがって、第１トランジスタのベース−エミッタ間電圧と第２トランジスタのベース−エミッタ間電圧の差は、わずかであるため、分圧部から入力した電圧と略同一の電圧となる。また、液晶駆動部に流れる第２トランジスタのエミッタ電流は、分圧部を電流経路とせず、かつ第２トランジスタのエミッタ電流の変動量に対応して変動する分圧部の出力電流の変動は極めて小さいものとなる。この結果、第１の観点の調理器の液晶駆動装置においては、液晶駆動部には必要な電圧を安定供給することができるので、液晶表示部は表示内容に関わらず安定した表示が可能となる。
【００２０】
本発明に係る第２の観点の調理器の液晶駆動装置において、特に、前記の第１の観点における前記液晶電源部は、前記第１トランジスタがＰＮＰトランジスタであり、前記第２トランジスタがＮＰＮトランジスタであるとともに、前記エミッタ抵抗を前記ＮＰＮトランジスタのベース−コレクタ間に接続し、前記ＮＰＮトランジスタのコレクタを前記直流電源部の高電位側出力端に接続するよう構成してもよい。
【００２１】
上記のように構成された本発明に係る第２の観点の調理器の液晶駆動装置によれば、安価な部品構成で消費電流の少ない、安定した電圧を供給できる液晶駆動装置を提供することができる。
【００２２】
本発明に係る第３の観点の調理器の液晶駆動装置において、特に、前記の第１の観点における前記液晶電源部は、前記第１トランジスタがＰＮＰトランジスタであり、前記第２トランジスタがＮＰＮトランジスタであるとともに、前記エミッタ抵抗を前記ＮＰＮトランジスタのベースと前記ＮＰＮトランジスタのベースより高電位の前記分圧部の出力端との間に接続するよう構成してもよい。
【００２３】
上記のように構成された本発明に係る第３の観点の調理器の液晶駆動装置によれば、安定した電圧を供給できるとともに、液晶電源部での消費電流をより少なくできるため、機器の更なる省エネルギー化を実現することができる。
【００２４】
本発明に係る第４の観点の調理器の液晶駆動装置において、特に、前記の第１の観点における前記液晶電源部は、前記第１トランジスタがＮＰＮトランジスタであり、前記第２トランジスタがＰＮＰトランジスタであるとともに、前記エミッタ抵抗を前記ＰＮＰトランジスタのベース−コレクタ間に接続し、前記ＰＮＰトランジスタのコレクタを前記直流電源部の低電位側出力端に接続するよう構成してもよい。
【００２５】
上記のように構成された本発明に係る第４の観点の調理器の液晶駆動装置によれば、安価な部品で構成され、かつ消費電流が少なく出力電圧が安定した液晶電源回路を提供することができる。
【００２６】
本発明に係る第５の観点の調理器の液晶駆動装置において、特に、前記の第２の観点から第４の観点における前記ＮＰＮトランジスタと前記ＰＮＰトランジスタが同一パッケージ内に構成されてもよい。
【００２７】
上記のように構成された本発明に係る第５の観点の調理器の液晶駆動装置によれば、前記ＮＰＮトランジスタと前記ＰＮＰトランジスタとは互いに熱結合されるため、素子温度を常に略同等とすることが可能となるため、液晶電源部の温度変化にともなう出力電圧の変動を低減することができる。
【００２８】
以下、本発明に係る実施の形態として調理器の液晶駆動装置について、添付の図面を参照しながら説明する。なお、本発明の調理器の液晶駆動装置は、以下の実施の形態に記載した調理器の液晶駆動装置の構成に限定されるものではなく、以下の実施の形態において説明する技術的思想と同等の技術的思想に基づいて構成される電気機器を含むものである。
【００２９】
（実施の形態１）
図１は、本発明に係る実施の形態１の調理器における液晶表示装置である液晶表示部を駆動制御する液晶駆動装置の構成を示すブロック図である。
【００３０】
図１において、直流電源部２は低電位側出力端を共通電位ＧＮＤ（グランド電位、以下単にＧＮＤとも言う）とし、高電位側出力端ＶＤＤ（以下単にＶＤＤとも言う）に直流電圧ＶＤＤを出力する。分圧部４は直列に接続された抵抗４ａ、抵抗４ｂ、抵抗４ｃおよび抵抗４ｄを備え、抵抗４ａの高電位側の一端は直流電源部２の高電位側出力端ＶＤＤに接続され、抵抗４ｄの低電位側の一端はＧＮＤに接続されている。分圧部４は、ＶＤＤを分圧して１／３バイアス、１／３デューティで動作する液晶表示部（ＬＣＤ）１を駆動するための基準電圧を出力する。ここで、１／３バイアスとは、液晶表示部１の駆動波形において電圧方向に３分割した４つの電圧（０Ｖを含む）で駆動される動作形式である。また、１／３デューティとは、液晶表示部１の駆動波形において時間軸方向に１波長を３分割して駆動される動作形式である。
【００３１】
分圧部４は、抵抗４ａと抵抗４ｂとの接続点からは第３出力電圧ＶＬ３を、抵抗４ｂと抵抗４ｃとの接続点からは第２出力電圧ＶＬ２を、抵抗４ｃと抵抗４ｄとの接続点からは第１出力電圧ＶＬ１を出力する。抵抗４ａと抵抗４ｂとの接続点と、抵抗４ｃと抵抗４ｄとの接続点は、分圧部４の出力端であり、それぞれの出力端が液晶駆動部３に接続されている。
【００３２】
抵抗４ｂと抵抗４ｃとの接続点から出力される第２出力電圧ＶＬ２が入力される液晶電源部５は、第２出力電圧ＶＬ２と略同一である同等の電圧ＶＬ２ａを液晶駆動部３へ出力するよう構成されている。ＮＰＮトランジスタで構成された第２トランジスタ５ａとＰＮＰトランジスタで構成された第１トランジスタ５ｂとエミッタ抵抗５ｃとを備える。第２トランジスタ５ａは、コレクタがＶＤＤに接続され、ベースが第１トランジスタ５ｂのエミッタとエミッタ抵抗５ｃとの接続点に接続され、エミッタが第１トランジスタ５ｂのコレクタに接続されている。また、第２トランジスタ５ａのエミッタは、液晶電源部５の出力端であり、液晶駆動部３の入力端に接続され、液晶駆動部３へ出力電圧ＶＬ２ａを出力する。第１トランジスタ５ｂのベースは分圧部４の出力端の一つである抵抗４ｂと抵抗４ｃとの接続点に接続されている。エミッタ抵抗５ｃの他端は、ＶＤＤに接続されており、第１トランジスタ５ｂのベースおよびエミッタに順方向の電流を供給できるように接続されている。実施の形態１では、第１トランジスタ５ｂがＰＮＰトランジスタであるため、エミッタ抵抗５ｃの他端は、第１トランジスタ５ｂのベースより高電位である直流電源部２の高電位側出力端ＶＤＤに接続されている。
【００３３】
以上のように構成された実施の形態１の調理器における液晶駆動装置について、その動作および作用について以下に説明する。
【００３４】
上記のように、分圧部４は、第１出力電圧ＶＬ１および第３出力電圧ＶＬ３を液晶駆動部３にそのまま出力しているが、第２出力電圧ＶＬ２は液晶電源部５に出力している。
【００３５】
第１トランジスタ５ｂのエミッタ電位は、第２出力電圧ＶＬ２に第１トランジスタ５ｂのベース−エミッタ間電圧であるＶＢＥ５ｂ（約０．６Ｖ）を加えた電位であり、第２トランジスタ５ａのエミッタ電位は第２トランジスタ５ａのベース電位、すなわち第１トランジスタ５ｂのエミッタ電位から第２トランジスタ５ａのベース−エミッタ間電圧であるＶＢＥ５ａ（約０．６Ｖ）を差し引いた電位である。したがって、第２トランジスタ５ａのエミッタ電位は、第２出力電圧ＶＬ２＋ＶＢＥ５ｂ−ＶＢＥ５ａとなるが、第２トランジスタ５ａのベース−エミッタ間電圧ＶＢＥ５ａと第１トランジスタ５ｂのベース−エミッタ間電圧ＶＢＥ５ｂはともに略同一の電圧となるように設定されており、例えば約０．６Ｖに設定されているので、第１トランジスタ５ｂのベースと第２トランジスタ５ａのエミッタは略同一である同等の電位とすることができる。
【００３６】
次に、液晶表示部１の表示内容の変化による影響について説明する。以下の説明においては、第２トランジスタ５ａのエミッタ電流をＩＥ５ａ、コレクタ電流をＩＣ５ａ、ベース電流をＩＢ５ａ、および電流増幅率をｈＦＥ５ａとする。同様に、第１トランジスタ５ｂのエミッタ電流をＩＥ５ｂ、コレクタ電流をＩＣ５ｂ、ベース電流をＩＢ５ｂ、および電流増幅率をｈＦＥ５ｂとする。
【００３７】
液晶表示部１の表示変化により液晶表示部１の消費電流、即ち、第２トランジスタ５ａのエミッタ電流ＩＥａも変化する。第２トランジスタ５ａのエミッタ電流ＩＥ５ａは、第２トランジスタ５ａのコレクタ電流ＩＣ５ａに第２トランジスタ５ａのベース電流ＩＢ５ａを加えた値だが、ＩＢ５ａはＩＣ５ａに対して十分小さい値になることから、簡単化のため、ＩＥ５ａ≒ＩＣ５ａとみなす。したがって、第２トランジスタ５ａにおいて、エミッタ電流変動分ΔＩＥ５ａとベース電流変動分ΔＩＢ５ａとの関係は、ΔＩＥ５ａ＝ｈＦＥ５ａ×ΔＩＢ５ａと表すことができる。
【００３８】
一方、第１トランジスタ５ｂにおいて、エミッタ電流変動分ΔＩＥ５ｂとベース電流変動分ΔＩＢ５ｂとの関係は、第２トランジスタ５ａの場合と同様に、ΔＩＥ５ｂ＝ｈＦＥ５ｂ×ΔＩＢ５ｂと表すことができる。
【００３９】
エミッタ抵抗５ｃに流れる電流が一定であるならば、ΔＩＢ５ａ＝−ΔＩＥ５ｂとなるので、ΔＩＢ５ｂ＝−ΔＩＥ５ａ／ｈＦＥ５ａ／ｈＦＥ５ｂとなり、ベース電流変動分ΔＩＢ５ｂを非常に小さくすることができる。また、第１トランジスタ５ｂにおいて、エミッタ抵抗５ｃに流れる電流がΔＩＢ５ａ変化したとしても、エミッタ電流ＩＥ５ｂにおいては殆ど変化しないため、ベース電流ＩＢ５ｂにおいては影響がでない。
【００４０】
また、トランジスタのベース−エミッタ間電圧は約−２ｍＶ／℃の温度特性を有するが、実施の形態１における第２トランジスタ５ａと第１トランジスタ５ｂとをＮＰＮトランジスタとＰＮＰトランジスタが同一パッケージに構成されたものを使用することにより、ＮＰＮトランジスタとＰＮＰトランジスタとを熱的に結合させることが可能となる。この結果、ベース−エミッタ間電圧の温度特性に対する影響を互いにキャンセルさせることが可能となる。
【００４１】
以上のように、実施の形態１においては、情報を表示するための液晶表示部１と、直流電源部２と、液晶表示部１を駆動するために複数の電圧を入力する液晶駆動部３と、４個の抵抗が直列接続されて構成され直流電源部２の出力電圧ＶＤＤを分圧して出力する分圧部４と、分圧部４の第２出力電圧ＶＬ２が入力されて当該第２出力電圧ＶＬ２と略同一である同等の出力電圧ＶＬ２ａを形成して液晶駆動部３に出力する液晶電源部５と、を備える。液晶電源部５は、第１トランジスタ５ｂと、第１トランジスタ５ｂのエミッタとＶＤＤとの間に設けられたエミッタ抵抗５ｃと、第２トランジスタ５ａとを有して構成されている。第１トランジスタ５ｂは、ベースが当該液晶電源部５の入力端に接続され、エミッタがエミッタ抵抗５ｃと第１トランジスタ５ｂのコレクタに接続されている。第２トランジスタ５ａは、ベースが第１トランジスタ５ｂのエミッタに接続され、エミッタが第１トランジスタ５ｂのコレクタに接続されて当該液晶電源部５の出力端となっている。液晶電源部５は、液晶駆動部３に第２トランジスタ５ａのエミッタが接続されており、第２トランジスタ５ａのコレクタ電流が分圧部４を経路とせずに流れるように構成されている。
【００４２】
上記のように構成された調理器の液晶駆動装置とすることにより、液晶駆動部３に出力される電圧は、液晶電源部５が入力する第２出力電圧ＶＬ２に第１トランジスタ５ｂのベース−エミッタ間電圧と第２トランジスタ５ａのベース−エミッタ間電圧の差を加算したものとなり、両ベース−エミッタ間電圧の差はわずかであるので、分圧部４から入力した第２出力電圧ＶＬ２と略同一の電圧ＶＬ２ａとなる。また、液晶駆動部３に流れる第２トランジスタ５ａのエミッタ電流は、分圧部４を電流経路とせず、かつ第２トランジスタ５ａのエミッタ電流の変動量に対応して変動する分圧部４の出力電流の変動は極めて小さい。したがって、液晶電源部５は液晶表示部１の表示内容に関わらず分圧部４の出力電圧と同等の電圧を液晶駆動部３へ安定して供給することができる。この結果、液晶表示部１は表示内容に関わらず安定した表示が可能となる。
【００４３】
また、第１トランジスタ５ｂをＰＮＰトランジスタとすると共に第２トランジスタ５ａをＮＰＮトランジスタとし、エミッタ抵抗５ｃを第２トランジスタ５ａのベース−コレクタ間に接続し、第２トランジスタ５ａのコレクタを直流電源部２の高電位側出力端ＶＤＤに接続することにより、上記作用および効果を得ることができる。
【００４４】
なお、実施の形態１における液晶駆動装置においては、分圧部４に接続する液晶電源部５を、分圧部４の第２出力電圧ＶＬ２に対する回路のみの１回路の構成で説明したが、本発明は１回路に限定されるものではない。例えば、分圧部４の他の出力電圧（ＶＬ１および／またはＶＬ３）に対しても液晶電源部５を設けてもよく、分圧部４の出力端の数に応じて所望の数の液晶電源部５を設けてもよい。このように、分圧部４の出力電圧（ＶＬ１，ＶＬ２，ＶＬ３）に液晶電源部５を設けることにより、液晶駆動部３に供給される電流が分圧部４を経路としない構成となり、液晶表示部１は表示内容に関わらずさらに安定した表示が可能となる。
【００４５】
（実施の形態２）
次に、本発明に係る実施の形態２の調理器における液晶表示部を駆動制御する液晶駆動装置を添付の図２を用いて説明する。
【００４６】
図２は、本発明に係る実施の形態２の調理器における液晶電源部およびその周辺のブロック図を示すものである。なお、実施の形態２の説明において、前述の実施の形態１における構成と同じ機能を有する要素には同じ参照符号を付し、その説明を省略する。
【００４７】
実施の形態２の調理器における液晶駆動装置において、前述の実施の形態１の調理器における液晶駆動装置と異なる点は、液晶電源部６におけるエミッタ抵抗６ｃの接続位置が異なっている。エミッタ抵抗６ｃの一端が第１トランジスタ６ｂのエミッタに接続されており、エミッタ抵抗６ｃの他端が分圧部４の抵抗４ａと抵抗４ｂの接続点に接続されている点が実施の形態１の構成と異なる。即ち、エミッタ抵抗６ｃの他端は、分圧部４の第３出力電圧ＶＬ３を出力する端子に接続されている。上記のように、エミッタ抵抗６ｃは、第１トランジスタ６ｂのベースおよびエミッタに順方向の電流を供給できるように、第２トランジスタ６ａのベースと分圧部４の抵抗４ａと抵抗４ｂの接続点である出力端に接続されている。
【００４８】
以上のように構成された実施の形態２の調理器における液晶駆動装置について、その動作および作用について以下に説明する。
【００４９】
まず、液晶表示部１の表示内容の変化が液晶電源部６の入力電流に与える影響について説明する。以下の説明においては、第２トランジスタ６ａのエミッタ電流をＩＥ５ａ、コレクタ電流をＩＣ６ａ、ベース電流をＩＢ６ａ、および電流増幅率をｈＦＥ６ａとする。同様に、第１トランジスタ６ｂのエミッタ電流をＩＥ６ｂ、コレクタ電流をＩＣ６ｂ、ベース電流をＩＢ６ｂ、および電流増幅率をｈＦＥ６ｂとする。
【００５０】
液晶表示部１の表示変化により液晶表示部１の消費電流、即ち、第２トランジスタ６ａのエミッタ電流も変化する。第２トランジスタ６ａのエミッタ電流ＩＥ６ａは、第２トランジスタ６ａのコレクタ電流ＩＣ６ａに第２トランジスタ６ａのベース電流ＩＢ６ａを加えた値だが、ＩＢ６ａはＩＣ６ａに対して十分小さい値になることから、簡単化のため、ＩＥ６ａ≒ＩＣ６ａとみなす。したがって、第２トランジスタ６ａにおいて、エミッタ電流変動分ΔＩＥ６ａとベース電流変動分ΔＩＢ６ａとの関係は、ΔＩＥ６ａ＝ｈＦＥ６ａ×ΔＩＢ６ａと表すことができる。
【００５１】
一方、第１トランジスタ６ｂにおいて、エミッタ電流変動分ΔＩＥ６ｂとベース電流変動分ΔＩＢ６ｂとの関係は、第２トランジスタ６ａの場合と同様に、ΔＩＥ６ｂ＝ｈＦＥ６ｂ×ΔＩＢ６ｂと表すことができる。
【００５２】
エミッタ抵抗６ｃに流れる電流が一定であるならば、ΔＩＢ６ａ＝−ΔＩＥ６ｂとなるので、ΔＩＢ６ｂ＝−ΔＩＥ６ａ／ｈＦＥ６ａ／ｈＦＥ６ｂとなり、エミッタ電流ＩＥ６ａの変動に対するベース電流ＩＢ６ｂの変動は非常に小さいものとなる。エミッタ抵抗６ｃに流れる電流がΔＩＢ６ａ変化するなら、抵抗４ａに流れる電流もΔＩＢ６ａ変化することになる。これにより、第３出力電圧ＶＬ３の電位に影響があるが、ΔＩＢ６ａ＝ΔＩＥ６ａ／ｈＦＥ６ａであるため、第２トランジスタ６ａのベース電流変動分ΔＩＢ６ａは非常に小さな変化であるとともに第３出力電圧ＶＬ３、第２出力電圧ＶＬ２、および第１出力電圧ＶＬ１は抵抗分圧により形成される電位であるため、第３出力電圧ＶＬ３の電位が変動すると同時に第２出力電圧ＶＬ２と第１出力電圧ＶＬ１も同様に変動する。このため、第１出力電圧ＶＬ１、第２出力電圧ＶＬ２、および第３出力電圧ＶＬ３の比率自体は変動することがなく、液晶表示部１の表示にむらなどの影響はでることがない。また、この場合、第１トランジスタ６ｂのエミッタ電流ＩＥ６ｂに変化がないため、ベース電流ＩＢ６ｂについては影響がでない。
【００５３】
また、トランジスタのベース−エミッタ間電圧は約−２ｍＶ／℃の温度特性を有するが、実施の形態２における第２トランジスタ６ａと第１トランジスタ６ｂとを同一パッケージに構成されたものを使用することにより、ＮＰＮトランジスタとＰＮＰトランジスタとを熱的に結合させることが可能となる。この結果、ベース−エミッタ間電圧の温度特性に対する影響を互いにキャンセルさせることが可能となる。
【００５４】
以上のように、実施の形態２においては、前述の実施の形態１における液晶電源部５に代えて液晶電源部６を設け、第１トランジスタ６ｂのベースおよびエミッタに順方向の電流を供給できるように、第１トランジスタ６ｂのエミッタ抵抗６ｃを、第１トランジスタ６ｂのエミッタと、第１トランジスタ６ｂのベースより高電位の分圧部４の出力端との間に接続したものである。これにより、前述の実施の形態１と同様に、第２トランジスタ６ａのコレクタ電流の変動に対する第１トランジスタ６ｂのベース電流の変動は非常に小さいものとなり、液晶電源部６は液晶表示部１の表示内容に関わらず、分圧部４の出力電圧と略同一である同等の電圧を液晶駆動部３へ安定して供給することができる。この結果、実施の形態２の調理器における液晶表示部１は安定した表示が可能となる。
【００５５】
なお、実施の形態２における液晶駆動装置においては、分圧部４に接続する液晶電源部６を、分圧部４の第２出力電圧ＶＬ２に対する回路のみの１回路の構成で説明したが、本発明は１回路に限定されるものではない。例えば、分圧部４の他の出力電圧（ＶＬ１）に対しても液晶電源部６を設けてもよく、分圧部４の出力端の数に応じて所望の数の液晶電源部６を設けてもよい。このように、分圧部４の出力電圧（ＶＬ１，ＶＬ２）に液晶電源部６を設けることにより、液晶駆動部３に供給される電流が分圧部４を経路としない構成となり、液晶表示部１は表示内容に関わらずさらに安定した表示が可能となる。
【００５６】
（実施の形態３）
次に、本発明に係る実施の形態３の調理器における液晶表示部を駆動制御する液晶駆動装置を添付の図３を用いて説明する。
【００５７】
図３は、本発明に係る実施の形態３の調理器における液晶電源部およびその周辺のブロック図を示すものである。なお、実施の形態３の説明において、前述の実施の形態１および実施の形態２における構成と同じ機能を有する要素には同じ参照符号を付し、その説明を省略する。
【００５８】
実施の形態３の調理器における液晶駆動装置において、前述の実施の形態１および実施の形態２の調理器における液晶駆動装置と異なる点は、液晶電源部７の第１トランジスタ７ｂがＮＰＮトランジスタであり、第２トランジスタ７ａがＰＮＰトランジスタであり、第２トランジスタ７ａのコレクタが直流電源部２の低電位側出力端、即ち、共通電位ＧＮＤ（グランド電位）に接続されている点である。
【００５９】
実施の形態３における液晶電源部７は、分圧部４の抵抗４ｃと抵抗４ｄとの接続点の第１出力電圧ＶＬ１と略同一である同等の電圧ＶＬ１ａを液晶駆動部３へ出力するよう構成されている。第２トランジスタ７ａにおいては、コレクタがＧＮＤに接続され、ベースが第１トランジスタ７ｂのエミッタに接続され、エミッタが第１トランジスタ７ｂのコレクタに接続されている。また、第２トランジスタ７ａのエミッタは、液晶駆動部３に接続されて、出力端となっている。
【００６０】
第１トランジスタ７ｂのベースは分圧部４の抵抗４ｃと抵抗４ｄの接続点に接続されている。第１トランジスタ７ｂのエミッタ抵抗７ｃの一端は第１トランジスタ７ｂのエミッタに接続され、エミッタ抵抗７ｃの他端は、第１トランジスタ７ｂのエミッタおよびベースに順電流がながれるように、第１トランジスタ７ｂのベースより低電位であるＧＮＤに接続されている。
【００６１】
以上のように構成された実施の形態３の調理器における液晶駆動装置について、その動作および作用について以下に説明する。
【００６２】
実施の形態３においては、分圧部４の出力端の第２出力電圧ＶＬ２および第３出力電圧ＶＬ３が、液晶駆動部３にそのまま出力されているが、第１出力電圧ＶＬ１は液晶電源部７に接続されている。第１トランジスタ７ｂのエミッタ電位は第１トランジスタ７ｂのベース電位（第１出力電圧ＶＬ１）からベース−エミッタ間電圧であるＶＢＥ７ｂ（約０．６Ｖ）を差し引いた電位である。また、第２トランジスタ７ａのエミッタ電位は第２トランジスタ７ａのベース電位、即ち、第１トランジスタ７ｂのエミッタ電位に第２トランジスタ７ａのベース−エミッタ間電圧であるＶＢＥ７ａ（約０．６Ｖ）を加えた電位である。第２トランジスタ７ａのエミッタ電位は第２出力電圧ＶＬ２−ＶＢＥ７ｂ＋ＶＢＥ７ａとなるが、第１トランジスタ７ｂのベース−エミッタ間電圧ＶＢＥ７ｂと第２トランジスタ７ａのベース−エミッタ間電圧ＶＢＥ７ａはともに略同一の電圧となるように設定されており、例えば約０．６Ｖに設定されているので、第１トランジスタ７ｂのベースと第２トランジスタ７ａのエミッタは略同一である同等の電位とすることができる。
【００６３】
次に、液晶表示部１の表示内容の変化が液晶電源部７の入力電流に与える影響について説明する。
【００６４】
以下の説明においては、第１トランジスタ７ｂのエミッタ電流をＩＥ７ｂ、コレクタ電流をＩＣ７ｂ、ベース電流をＩＢ７ｂ、および電流増幅率をｈＦＥ７ｂとする。同様に、第２トランジスタ７ａのエミッタ電流をＩＥ７ａ、コレクタ電流をＩＣ７ａ、ベース電流をＩＢ７ａ、および電流増幅率をｈＦＥ７ａとする。
【００６５】
液晶表示部１の表示変化により液晶電源部７からの出力電流、即ち、第２トランジスタ７ａのエミッタ電流ＩＥ７ａが変化する。第２トランジスタ７ａのエミッタ電流ＩＥ７ａは第２トランジスタ７ａのコレクタ電流ＩＣ７ａに第２トランジスタ７ａのベース電流ＩＢ７ａを加えた値だが、ＩＢ７ａはＩＣ７ａに対して十分小さい値になることから、簡単化のため、ＩＥ７ａ≒ＩＣ７ａとみなす。したがって、第２トランジスタ７ａにおいて、エミッタ電流変動分ΔＩＥ７ａとベース電流変動分ΔＩＢ７ａとの関係は、ΔＩＥ７ａ＝ｈＦＥ７ａ×ΔＩＢ７ａと表すことができる。
【００６６】
一方、第１トランジスタ７ｂにおいて、エミッタ電流変動分ΔＩＥ７ｂとベース電流変動分ΔＩＢ７ｂとの関係は、第２トランジスタ７ａの場合と同様に、ΔＩＥ７ｂ＝ｈＦＥ７ｂ×ΔＩＢ７ｂと表すことができる。
【００６７】
エミッタ抵抗７ｃに流れる電流が一定であるならば、ΔＩＢ７ａ＝−ΔＩＥ７ｂとなるので、ΔＩＢ７ｂ＝−ΔＩＥ７ａ／ｈＦＥ７ａ／ｈＦＥ７ｂとなり、ベース電流変動分ΔＩＢ７ｂを非常に小さくすることができる。また、第１トランジスタ７ｂにおいて、エミッタ抵抗７ｃに流れる電流がΔＩＢ７ａ変化したとしても、エミッタ電流ＩＥ７ｂにおいては殆ど変化しないため、ベース電流ＩＢ７ｂにおいては影響がでない。
【００６８】
また、トランジスタのベース−エミッタ間電圧は約−２ｍＶ／℃の温度特性を有するが、実施の形態３における第１トランジスタ７ｂと第２トランジスタ７ａとが同一パッケージに構成されたものを使用することにより、ＮＰＮトランジスタとＰＮＰトランジスタとを熱的に結合させることが可能となる。この結果、ベース−エミッタ間電圧の温度特性に対する影響を互いにキャンセルさせることが可能となる。
【００６９】
以上のように、実施の形態３においては、前述の実施の形態１における液晶電源部５に代えて液晶電源部７を設け、第１トランジスタ７ｂをＮＰＮトランジスタとすると共に、第２トランジスタ７ａをＰＮＰトランジスタとし、一端を第１トランジスタ７ｂのエミッタに接続したエミッタ抵抗７ｃの他端を、第１トランジスタ７ｂのベースおよびエミッタに順方向の電流を供給できるように、第２トランジスタ７ａのコレクタとともに、第１トランジスタ７ｂのベースより低い電位である直流電源部２の低電位側出力端ＧＮＤに接続している。このため、第２トランジスタ７ａのエミッタ電流ＩＥ７ａの変動に対する第１トランジスタ７ｂのベース電流ＩＢ７ｂの変動は非常に小さく、液晶電源部７は液晶表示部１の表示内容に関わらず液晶電源部７からの第１出力電圧ＶＬ１ａを分圧部４の第１出力電圧ＶＬ１と略同一である同等とすることができる。この結果、実施の形態３の調理器における液晶表示部１は安定した表示が可能となる。
【００７０】
なお、実施の形態３における液晶駆動装置においては、分圧部４に接続する液晶電源部７を、分圧部４の第１出力電圧ＶＬ１に対する回路のみの１回路の構成で説明したが、本発明は１回路に限定されるものではない。例えば、分圧部４の他の出力電圧（ＶＬ２および／またはＶＬ３）に対しても液晶電源部７を設けてもよく、分圧部４の出力端の数に応じて所望の数の液晶電源部７を設けてもよい。このように、分圧部４の出力電圧（ＶＬ１，ＶＬ２，ＶＬ３）に液晶電源部７を設けることにより、液晶駆動部３に供給される電流が分圧部４を経路としない構成となり、液晶表示部１は表示内容に関わらずさらに安定した表示が可能となる。
【００７１】
（実施の形態４）
次に、本発明に係る実施の形態４の調理器における液晶表示部を駆動制御する液晶駆動装置を添付の図４を用いて説明する。
【００７２】
図４は、本発明に係る実施の形態４の調理器における液晶電源部およびその周辺のブロック図を示すものである。なお、実施の形態４の説明において、前述の実施の形態１から実施の形態３における構成と同じ機能を有する要素には同じ参照符号を付し、その説明を省略する。
【００７３】
図４に示すように、実施の形態４の調理器における液晶駆動装置においては、前述の実施の形態２における液晶駆動装置の液晶電源部６を第１液晶電源部６として、および実施の形態３における液晶駆動装置の液晶電源部７を第２液晶電源部７として設けた構成である。したがって、実施の形態４における液晶駆動装置においては、実施の形態２における液晶駆動装置および実施の形態３における液晶駆動装置において説明した作用効果を有するものである。このため、実施の形態４における液晶駆動装置は、液晶表示部１の表示内容に関わらず、分圧部４の出力電圧と略同一である同等の電圧を液晶駆動部３へ安定して供給することができ、液晶表示部１は安定した表示が可能となる。
【００７４】
本発明をある程度の詳細さをもって各実施の形態において説明したが、これらの実施の形態の開示内容は構成の細部において変化してしかるべきものであり、各実施の形態における要素の組合せや順序の変化は請求された本発明の範囲及び思想を逸脱することなく実現し得るものである。
【産業上の利用可能性】
【００７５】
本発明の調理器における液晶駆動装置は、安価で消費電流の少なく、液晶表示部の表示内容に応じた液晶表示部が必要とする電力変動に対しても安定して電圧供給が可能な小型の装置であるため、ＩＨジャー炊飯器やＩＨ調理器などの調理器は勿論、調理器以外の一般家庭などで使用される電子機器、電気機器等の液晶表示部の液晶駆動装置にも適用できる。
【符号の説明】
【００７６】
１  液晶表示部
２  直流電源部
３  液晶駆動部
４  分圧部
５  液晶電源部
６  液晶電源部
７  液晶電源部
【図１】
2015004951.tif 000003
【図２】
2015004951.tif 000004
【図３】
2015004951.tif 000005
【図４】
2015004951.tif 000006
【図５】
2015004951.tif 000007